【誤訳訂正書】
【提出日】令和2年9月10日(2020.9.10)
【誤訳訂正１】
【訂正対象書類名】特許請求の範囲
【訂正対象項目名】全文
【訂正方法】変更
【訂正の内容】
【特許請求の範囲】
【請求項１】
ワイヤレス送信／受信ユニット（ＷＴＲＵ）のための方法であって、
少なくとも同期信号を含む送信を受信するステップであって、前記受信した送信が、第１のサブキャリアスペーシングを有する、受信するステップと、
前記受信した送信に基づいて、第２のサブキャリアスペーシングを決定するステップと、
前記決定された第２のサブキャリアスペーシングを使用して初期アクセスパラメータを受信するステップと、
前記初期アクセスパラメータを使用して初期アクセスを実行するステップと
を備える方法。
【請求項２】
前記初期アクセスパラメータは、前記初期アクセスを実行する際に使用するための第３のサブキャリアスペーシングを含む請求項１に記載の方法。
【請求項３】
前記初期アクセスを実行することは、物理ランダムアクセスチャネルで信号を送信することを含む請求項１に記載の方法。
【請求項４】
前記同期信号が、１次同期信号と２次同期信号とを含む請求項１に記載の方法。
【請求項５】
ブラインド検出が、リソースのセットを使用して、前記同期信号を検出するために使用される請求項１に記載の方法。
【請求項６】
前記第１のサブキャリアスペーシングおよび前記第２のサブキャリアスペーシングはサブキャリアスペーシングのセットの外側にある請求項１に記載の方法。
【請求項７】
ワイヤレス送信／受信ユニット（ＷＴＲＵ）であって、
少なくとも同期信号を含む送信を受信するように構成された受信機およびプロセッサであって、前記受信した送信が、第１のサブキャリアスペーシングを有する、受信機およびプロセッサ
を備え、
前記プロセッサが、前記受信した送信に基づいて、第２のサブキャリアスペーシングを決定するように構成されており、
前記受信機および前記プロセッサが、第２のサブキャリアスペーシングを使用して初期アクセスパラメータを受信するように構成され、
前記初期アクセスパラメータを使用して初期アクセスを実行するようにさらに構成された
ＷＴＲＵ。
【請求項８】
記初期アクセスパラメータは、前記初期アクセスを実行する際に使用するための第３のサブキャリアアスペーシングを含む請求項７に記載のＷＴＲＵ。
【請求項９】
前記初期アクセスを実行することは、物理ランダムアクセスチャネルで信号を送信することを含む請求項７に記載のＷＴＲＵ。
【請求項１０】
前記同期信号が、１次同期信号と２次同期信号とを含む請求項７に記載のＷＴＲＵ。
【請求項１１】
前記受信機および前記プロセッサが、リソースのセットを使用して、前記同期信号を検出するためにブラインド検出を使用する請求項７に記載のＷＴＲＵ。
【請求項１２】
前記第１のサブキャリアスペーシングおよび前記第２のサブキャリアスペーシングはサブキャリアスペーシングのセットの外側にある請求項７に記載のＷＴＲＵ。
【誤訳訂正２】
【訂正対象書類名】明細書
【訂正対象項目名】００５０
【訂正方法】変更
【訂正の内容】
【００５０】
ＷＴＲＵ１０２ａ、１０２ｂ、１０２ｃは、スケーラブルなニューメロロジーに関連付けられた送信を使用してｇＮＢ１８０ａ、１８０ｂ、１８０ｃと通信し得る。たとえば、ＯＦＤＭシンボルスペーシングおよび／またはＯＦＤＭサブキャリアスペーシングは、送信、セル、および／またはワイヤレス送信スペクトルの部分ごとに変動し得る。ＷＴＲＵ１０２ａ、１０２ｂ、１０２ｃは、（たとえば、様々な数のＯＦＤＭシンボルを含んでいるおよび／または変動する長さの絶対時間の間続く）様々なまたはスケーラブルな長さのサブフレームまたは送信時間間隔（ＴＴＩ）を使用してｇＮＢ１８０ａ、１８０ｂ、１８０ｃと通信し得る。
【誤訳訂正３】
【訂正対象書類名】明細書
【訂正対象項目名】００６６
【訂正方法】変更
【訂正の内容】
【００６６】
５Ｇなどのワイヤレス通信技術では、マルチキャリア信号がサポートされ得る。比較のために、ＬＴＥは、直交周波数分割多重（ＯＦＤＭ）またはＳＣ−ＦＤＭＡなどのマルチキャリア信号を採用する。マルチキャリア信号の使用は、高いスペクトル効率と、キャリア上でのユーザの効率的な多重化と、実装上の効率とを生じ得る。マルチキャリア信号は、サブキャリアスペーシング、シンボル持続時間、および／または（適用可能なとき）サイクリックプレフィックスもしくは時間ガード持続時間などの限られた数のパラメータによって特徴づけられ得る。
【誤訳訂正４】
【訂正対象書類名】明細書
【訂正対象項目名】００６７
【訂正方法】変更
【訂正の内容】
【００６７】
ＬＴＥなどのワイヤレス通信技術では、適用可能であり得る本明細書で説明するパラメータの有限の小数の組合せがあり得る。たとえば、ダウンリンクでは、サブキャリアスペーシングは、１５ｋＨｚに設定され得（マルチメディアブロードキャストマルチキャストサービス（ＭＢＭＳ）に７．５ｋＨｚの値も指定されるが、いくつかの構成では完全にはサポートされないことがある）、信号のタイプは、ＯＦＤＭであり得る。アップリンクでは、サブキャリアスペーシングは、より小さい値（７．５ｋＨｚおよび１．２５ｋＨｚ）を使用し得る物理ランダムアクセスチャネル（ＰＲＡＣＨ）を除くすべての信号およびチャネルについて１５ｋＨｚに設定され得る。アップリンク信号のタイプは、シングルキャリア周波数分割多重（ＳＣ−ＦＤＭ）であり得る。ＬＴＥによってターゲットにされる展開における伝搬特性について考えると、１５ｋＨｚの主サブキャリアスペーシング値が好適であり得る。より詳細には、サブキャリアスペーシングは、ＷＴＲＵによって使用される最大速度および周波数帯域が与えられれば予想されるドップラー拡散値と比較して高くなり得、シンボル持続時間は、遅延拡散によるシンボル間干渉を回避するのに必要なサイクリックプレフィックスの持続時間と比較して高くなり得る。一例では、２つの可能な持続時間は、約５マイクロ秒の「ノーマルサイクリックプレフィックス（ＣＰ）」と約１７マイクロ秒の「拡張ＣＰ」とのＣＰに対して定義される。後者の値は、予想される遅延拡散がより大きいシナリオで使用され得る。
【誤訳訂正５】
【訂正対象書類名】明細書
【訂正対象項目名】００７５
【訂正方法】変更
【訂正の内容】
【００７５】
図３は、５Ｇなどのワイヤレス通信技術のための例示的なフレキシブルなスペクトル割振り３００の図である。例示的なフレキシブルなスペクトル割振り３００では、システム帯域幅３０２を水平方向の増分（たとえば、２０ＭＨｚ）で示し、時間３０１を垂直方向の増分で示す。サブキャリアスペーシング３０４は、第１の値deltaＦ1のものであり得、可変送信特性をもつスペクトル割振り３０６ａにわたり得る。サブキャリアスペーシング３０５は、第２の値deltaＦ2のものであり、場合によっては、サブキャリアスペーシング３０４よりも大きくなり得、可変送信特性をもつスペクトル割振り３０６ｂにわたり得る。セル（たとえば、５ＭＨｚ）を備える帯域幅の公称部分３０３があり得る。
【誤訳訂正６】
【訂正対象書類名】明細書
【訂正対象項目名】００７８
【訂正方法】変更
【訂正の内容】
【００７８】
図３のスペクトル割振りの例は、少なくとも概念的に、異なる動作モード、すなわち、スペクトル動作モード（ＳＯＭ）に割り当てられる異なるサブキャリアを有し得る。異なるＳＯＭは、送信ごとに異なる要件を満たすために使用され得る。ＳＯＭは、少なくとも、サブキャリアスペーシングと、ＴＴＩ長と、ＨＡＲＱ処理または２次制御チャネルなどの１つまたは複数の信頼性態様とからなり得る。さらに、ＳＯＭは、特定の波形を指すために使用され得るか、または処理態様に関係し得、たとえば、ＳＯＭは、ＦＤＭおよび／またはＴＤＭを使用する同じキャリア中での異なる波形の共存に関連し得、別の例では、ＳＯＭは、ＴＤＭ方式などでサポートされる時分割複信（ＴＤＤ）帯域中での周波数分割複信（ＦＤＤ）動作の共存に関連し得る。
【誤訳訂正７】
【訂正対象書類名】明細書
【訂正対象項目名】００８１
【訂正方法】変更
【訂正の内容】
【００８１】
５Ｇなどのワイヤレス通信技術では、エアインターフェースは、ｅＭＢＢ、ＵＲＬＬＣ、およびｍＭＴＣなどの多種多様な周波数帯域およびユースケースをサポートする必要があり得る。ネットワーク展開のＣＡＰＥＸ／ＯＰＥＸにより、スペクトルの同じ連続ブロック上に異なるユースケースを多重化することが望ましいことがある。各ユースケースは、信号構造、ニューメロロジー（たとえば、サブキャリアスペーシング（ＳＣＳ）、シンボルサイズ、ＣＰ長など）などを含む異なる送信パラメータの必要につながるそれ自体の要件を有し得る。
【誤訳訂正８】
【訂正対象書類名】明細書
【訂正対象項目名】００８２
【訂正方法】変更
【訂正の内容】
【００８２】
本明細書で説明するように、送信パラメータ、信号構造またはニューメロロジーは、互換的に使用され得、波形（たとえば、ＯＦＤＭ、ＳＣ−ＦＤＭＡ、ゼロテールＤＦＴ拡散ＯＦＤＭなど）、サブキャリアスペーシング（ＳＣＳ）、サイクリックプレフィックス（ＣＰ）長、シンボルサイズなどの波形に関連付けられたパラメータ、送信に関連付けられたパラメータ、たとえば、送信機会またはスケジューリング機会のロケーションおよび／もしくはタイミングを構成するシンボルの数、または別の例は無認可チャネルアクセスパラメータ（たとえば、リッスンビフォアトークまたはクリアチャネルアセスメントパラメータ）であり得る、ＯＦＤＭＡ、（非直交多元接続の任意の変形形態を含む）ＮＯＭＡなどの多元接続方式、送信がノードによって受信または送信される条件（たとえば、送信がＷＴＲＵにおいてＵＬであるのかまたはＤＬであるのか）、および／またはユースケース（すなわち、ｅＭＢＢ、ＵＲＬＬＣ、ｍＭＴＣ）のうちの少なくとも１つによって定義またはパラメータ化され得る。
【誤訳訂正９】
【訂正対象書類名】明細書
【訂正対象項目名】００８９
【訂正方法】変更
【訂正の内容】
【００８９】
フレキシブルなリソース使用状況のための方法およびシステムでは、キャリアの帯域幅は、ニューメロロジーブロックにセグメント化され得、ここにおいて、ニューメロロジーブロックに関連付けられたパラメータがあり得る。ニューメロロジーブロックは、データ送信のスケジューリングを可能にするためにパラメータのセットで構成され得る。パラメータのセットは、リソースブロックのサイズの定義、たとえば、リソースブロック（ＲＢ）は帯域幅部分によって定義され得、異なる数のサブキャリアを有し得るニューメロロジーのサブキャリアスペーシングに依存し得るか、またはＲＢはサブキャリアの数として定義され得、異なる帯域幅部分を占有し得るサブキャリアスペーシングに依存し得る、サブフレーム長の定義、たとえば、サブフレーム長は絶対時間値によって定義され得、異なる数のシンボルを有し得るニューメロロジーのシンボル長に依存し得るか、またはサブフレーム長はシンボルの数によって定義され得、異なる絶対時間持続時間を有し得るニューメロロジーのシンボル長に依存し得る、スケジューリング機会またはスロット長のタイミング、ここで、スケジューリング機会（またはスロット境界）は時間として定義され得、ここで、スケジューリング割当て（たとえば、いつサブフレームまたはスロットが開始し得るのか）または１つまたは複数の次回のサブフレームの許可（たとえば、サブフレームが時間的に隣接しないことがあり、未使用の時間期間を有し得、ここで、未使用の時間期間は、異なる周波数領域中の異なるニューメロロジーブロック間の適切な同期を保証するために使用され得る）を示す制御チャネルがＷＴＲＵによって受信され得る、ＵＬからＤＬへのまたはＤＬからＵＬへの切替えタイミング、それは、たとえば、すべてのニューメロロジーブロックがＳＣＳにかかわらず整列したＵＬ／ＤＬ境界を有することを保証するためにＴＤＤシステム中に明示的に構成され得る、のうちの少なくとも１つを含み得る。
【誤訳訂正１０】
【訂正対象書類名】明細書
【訂正対象項目名】００９６
【訂正方法】変更
【訂正の内容】
【００９６】
ガードバンドの周波数スパンは、絶対スペクトル幅で定義され得る。別の実施形態では、ガードバンドの周波数スパンは、ガードバンドの定義のために特に割り当てられたサブキャリアスペーシングに関して定義され得る。また別の実施形態では、ガードバンドの周波数スパンは、隣接するニューメロロジーブロックのうちの少なくとも１つのサブキャリアスペーシングを仮定して、サブキャリアに関して定義され得る。
【誤訳訂正１１】
【訂正対象書類名】明細書
【訂正対象項目名】０１４４
【訂正方法】変更
【訂正の内容】
【０１４４】
一実施形態では、ＷＴＲＵは、第１のチャネルの復号時に、制御チャネルの位置を特定するために第１の制御チャネル中に与えられた時間周波数リソースロケーションおよび帯域幅情報を使用して第２の制御チャネルの復号を実行し得る。第２のチャネルは、復号を実行するために第１のチャネル復号方法、Ｃ−ＲＮＴＩ、およびニューメロロジーをさらに使用し得、それは、第２のレベルの制御チャネル中の仮定されるロケーションとして第１のレベルの制御チャネル中に与えられた基準信号（ＲＳ）のロケーションをさらに仮定し得る。第２の制御チャネルに関連付けられたパラメータは、限定はしないが、第１の制御チャネルからのオフセット、絶対時間、もしくは絶対時間からのオフセットの形での第２の制御チャネルのタイミングおよび持続時間、絶対帯域幅または許容帯域幅を与えるテーブルへのインデックスの形での帯域幅、周波数リソース、もしくはニューメロロジーブロック、復号すべき探索空間の数、探索空間のアグリゲーションレベル、探索すべきＤＣＩもしくはＤＣＩのサブセットなどの復号方法、復号のために使用されるＣ−ＲＮＴＩもしくは他の識別子、ニューメロロジー（サブキャリアスペーシング、ＦＦＴサイズなど）、ここで、第２の制御チャネルのニューメロロジーは、それが送信され得るニューメロロジーブロックのものに一致しないことがある、ビームの向き、ビームのタイミング、Ｒｘビーム幅などの第２の制御チャネルのために使用される処理パラメータ（たとえば、一例では、ＷＴＲＵは、第２の制御チャネルに使用すべき必要とされるビーム幅を示し得る広いＲｘビームを使用して第１の制御チャネルを復号し得、ＷＴＲＵは、次いで、より狭いビームを使用して第２の制御チャネルを復号し得、またその逆も同様である）、ならびに／または第２のレベルの制御チャネル中の基準信号のロケーションを含む。
【誤訳訂正１２】
【訂正対象書類名】明細書
【訂正対象項目名】０１５２
【訂正方法】変更
【訂正の内容】
【０１５２】
図６Ａに、２つ以上のニューメロロジーによる信号の受信のための例示的な実施形態を示す。受信信号６０１は、異なる周波数ブロック中の２つ以上のニューメロロジーに従って構造化された信号から構成され得る。たとえば、第１および第２の信号成分のサブキャリアスペーシングは、それぞれ、Ｓ1およびＳ2であり得る。第１の信号成分は、キャリアの上部周波数範囲において帯域幅Ｗ1＝Ｋ1×Ｓ1の周波数ブロックを占有し得、ここで、Ｋ1は、第１の信号成分によって使用されるサブキャリアの数である。第２の信号成分は、キャリアの下部周波数範囲において帯域幅Ｗ2＝（Ｃ2−Ｋ2）×Ｓ2の周波数ブロックを占有し得、ここで、Ｋ2は、第２の信号成分によって使用されるサブキャリアの数であり、Ｃ2は、Ｓ2の単位で表されるキャリア帯域幅である。第１および第２の信号成分は、重複しない周波数を占有し得る。
【誤訳訂正１３】
【訂正対象書類名】明細書
【訂正対象項目名】０１６２
【訂正方法】変更
【訂正の内容】
【０１６２】
別の実施形態では、周波数割振りは、ニューメロロジーに依存しないリソースブロックのセットに関して表され得、ここで、リソースブロックは、サブキャリアスペーシングとは無関係の固定された帯域幅に関して定義され得る。したがって、このようにして定義されたリソースブロック中のサブキャリアの数は、サブキャリアスペーシングに依存する。たとえば、１８０ｋＨｚのリソースブロックは、サブキャリアスペーシングが、それぞれ、１５ｋＨｚまたは３０ｋＨｚであるのかどうかに応じて１２個のサブキャリアまたは６つのサブキャリアとして定義され得る。そのような実施形態は、各ニューメロロジーブロック中で使用されるサブキャリアスペーシングとは無関係の周波数割当ての指示を可能にし得る。
【誤訳訂正１４】
【訂正対象書類名】明細書
【訂正対象項目名】０１９３
【訂正方法】変更
【訂正の内容】
【０１９３】
別の実施形態では、ＷＴＲＵは、ニューメロロジーパラメータの適用可能なＷＴＲＵに選択されたセットのためのいくつかの所定のルールに従い得る。たとえば、ＷＴＲＵは、衝突するニューメロロジーブロック中のニューメロロジーを用いた方法でスケーリングするニューメロロジーパラメータのみを選択し得る。たとえば、ＷＴＲＵは、シンボル持続時間またはサブキャリアスペーシングが衝突するニューメロロジーブロックのシンボル持続時間またはサブキャリアスペーシングの整数倍（または約数）であるニューメロロジーのみを選択し得る。また別の実施形態では、新しいインター／イントラニューメロロジーブロック干渉を作成しないであろうパラメータのみが改変され得る。たとえば、ＷＴＲＵは、異なるサブフレーム長を選択し得るが、サブキャリアスペーシングを変更しないことによってサブキャリアの直交性を維持しなければならない。
【誤訳訂正１５】
【訂正対象書類名】明細書
【訂正対象項目名】０１９６
【訂正方法】変更
【訂正の内容】
【０１９６】
別の実施形態では、（たとえば、異なるＴＲＰまたはＷＴＲＵからの）衝突するサブバンド中のすべてのＲＳは、ニューメロロジーパラメータの同じセットを使用し得る。この場合、ＲＳのニューメロロジー構成は、ニューメロロジーブロック構成とは無関係であり得る。たとえば、ＲＳ送信は、ブロックの時間周波数リソースを占有し得る。変調は、サブキャリアスペーシングが衝突するニューメロロジーブロック間の最も短いサブキャリアスペーシングに一致する状態でＩＦＦＴを使用して行われ得る。さらに、サンプリングは、衝突するニューメロロジーブロック間の最も短いシンボル時間を仮定して行われ得る。
【誤訳訂正１６】
【訂正対象書類名】明細書
【訂正対象項目名】０１９７
【訂正方法】変更
【訂正の内容】
【０１９７】
別の実施形態では、ブランキングは、同じ時間周波数リソースを使用する異なるニューメロロジーのＲＳ間の直交性を保証するために使用され得る。たとえば、短いサブキャリアスペーシングをもつ第１のニューメロロジーを使用して送信されるＲＳは、より長いサブキャリアスペーシングをもつ第２のニューメロロジーを使用する送信が衝突するサブキャリアのための複数のシンボルをブランキングすることを必要とし得る。同様に、長いサブキャリアスペーシングをもつ第１のニューメロロジーを使用して送信されるＲＳは、より短いサブキャリアスペーシングをもつ第２のニューメロロジーを使用する送信が衝突するシンボルのための複数のサブキャリアをブランキングすることを必要とし得る。